(57)【特許請求の範囲】
【請求項１】
段ボールを用いて形成した段ボール机であって、
略四角形状の背面部と、
前記背面部の側方の辺に繋がる略四角形状の側面板部と、前記側面板部の内面のうち少なくとも上側の端部及び前記背面部に繋がる側の端部を除いた面に、開口端が上下に現れるようにして取り付けられた中空状の第一の四角柱状体と、前記第一の四角柱状体の前記側面板部に取り付けられた面の上端部に切り欠くようにして形成された第一の凹部と、前記第一の四角柱状体の前記第一の凹部が形成された面に対向する面の上端部であって前記第一の凹部に対応する位置に切り欠くようにして形成された第二の凹部と、前記側面板部の前記背面部に繋がる側の端部に形成された、前記第一の四角柱状体を前記背面部の側に折り畳むことが可能な第一の折曲げ部とを有する二つの脚部と、
前記背面部の横幅と略同じ長さをもつ中空状の第二の四角柱状体と、前記第二の四角柱状体の内部に密着して取り付けられた第一の中芯部と、前記第一の中芯部が取り付けられた前記第二の四角柱状体の底面の両端部に形成された第一の切欠き部とを有し、前記二つの第一の切欠き部にそれぞれ、対応する前記第一の凹部の底の辺を差し込むと共に、前記第二の四角柱状体の左右の先端部をそれぞれ、対応する前記第二の凹部に嵌合することにより、前記各第一の四角柱状体の上側の開口端で形成される面と前記第二の四角柱状体の上面とが同一の平面上に位置するようにして前記二つの第一の四角柱状体の間に取着される梁状部と、
中空状の第三の四角柱状体と、前記第三の四角柱状体の内部に密着して取り付けられた第二の中芯部とを有し、前記二つの側面板部の上側の辺で形成される面と前記各第一の四角柱状体の上側の開口端で形成される面及び前記第二の四角柱状体の上面との間の空間に嵌め込まれる天板部と、
を具備することを特徴とする段ボール机。
【請求項２】
少なくとも前記背面部、前記側面板部、前記第一の四角柱状体、前記第二の四角柱状体及び前記第三の四角柱状体を形成するための前記段ボールにはセラミックコーティングを施したことを特徴とする請求項１記載の段ボール机。
【請求項３】
少なくとも前記第三の四角柱状体を形成するための前記段ボールには帯電防止剤を塗布したことを特徴とする請求項１又は２記載の段ボール机。
【請求項４】
前記第一の四角柱状体は、前記側面板部の外側の辺に連なり、その辺に平行な複数の第二の折曲げ部で折り曲げて形成されたものであり、前記第三の四角柱状体は、前記背面部の上側の辺に連なり、その辺に平行な複数の第五の折曲げ部で折り曲げて形成されたものであることを特徴とする請求項１、２又は３記載の段ボール机。
【請求項５】
前記背面部の前記第三の四角柱状体に連なる側の端部には、前記天板部を前記背面部の側に折り畳むことが可能な第四の折曲げ部が形成されており、
前記第四の折曲げ部で折り曲げて前記天板部を折り畳んだときに、前記第四の折曲げ部と前記第三の四角柱状体が前記背面部に連なる辺とで囲まれる四角形状部分は前記各第一の四角柱状体の上側の開口端で形成される面と同一の平面上に位置すると共に、前記天板部と前記背面部との互いに対向する面が当接し、
前記天板部を折り畳んだ後に前記第一の折曲げ部で折り曲げて前記各第一の四角柱状体を折り畳んだときに、前記二つの第一の四角柱状体の互いに対向する面同士が当接すると共に、前記各第一の四角柱状体と前記天板部との互いに対向する面が当接し、
前記天板部と前記二つの第一の四角柱状体とを折り畳んだときの、前記二つの側面板部の上側の辺で形成される面と前記四角形状部分の上面及び前記二つの第一の四角柱状体の上側の開口端で形成される面との間の空間が、前記梁状部を収納するための収納部となることを特徴とする請求項４記載の段ボール机。
【請求項６】
前記各第一の四角柱状体は、前記二つの第一の四角柱状体を折り畳んだときに互いに当接する前記各第一の四角柱状体の面の上部に形成された、前記側面板部の外側の辺の上部に連なる突出部を有し、前記梁状部はその略中央部にその底面及び前側面に渡って形成された第二の切欠き部を有しており、前記天板部と前記二つの第一の四角柱状体とを折り畳んだときに、前記第二の切欠き部に前記二つの第一の四角柱状体の前記突出部を差し込んで、前記梁状部を前記収納部に収納することにより、前記二つの第一の四角柱状体を固定することを特徴とする請求項５記載の段ボール机。
【発明の詳細な説明】
【０００１】
【発明の属する技術分野】
本発明は、例えば、勉強や仕事をするのに用いる段ボール机に関するものである。
【０００２】
【従来の技術】
現在、机としては、木製のものやプラスチック製のものが市販されている。
【０００３】
【発明が解決しようとする課題】
しかしながら、かかる木製又はプラスチック製の机は、その材料費が高く、製造コストが嵩むという問題がある。また、かかる机を、特に、短期間の間だけ開設される工事現場、イベント会場又は事務所等において使用する場合には、机は重く、扱いにくいため、工事現場等への搬入・搬出作業に手間がかかる。このため、机を使用しないときには折り畳んで保管することができ、使用時に簡単に組み立てることができれば、とても便利である。
【０００４】
本発明は上記事情に基づいてなされたものであり、折り畳み可能であると共に、製造コストが安い段ボール机を提供することを目的とするものである。
【０００５】
【課題を解決するための手段】
上記の目的を達成するための本発明は、段ボールを用いて形成した段ボール机であって、略四角形状の背面部と、前記背面部の側方の辺に繋がる略四角形状の側面板部と、前記側面板部の内面のうち少なくとも上側の端部及び前記背面部に繋がる側の端部を除いた面に、開口端が上下に現れるようにして取り付けられた中空状の第一の四角柱状体と、前記第一の四角柱状体の前記側面板部に取り付けられた面の上端部に切り欠くようにして形成された第一の凹部と、前記第一の四角柱状体の前記第一の凹部が形成された面に対向する面の上端部であって前記第一の凹部に対応する位置に切り欠くようにして形成された第二の凹部と、前記側面板部の前記背面部に繋がる側の端部に形成された、前記第一の四角柱状体を前記背面部の側に折り畳むことが可能な第一の折曲げ部とを有する二つの脚部と、前記背面部の横幅と略同じ長さをもつ中空状の第二の四角柱状体と、前記第二の四角柱状体の内部に密着して取り付けられた第一の中芯部と、前記第一の中芯部が取り付けられた前記第二の四角柱状体の底面の両端部に形成された第一の切欠き部とを有し、前記二つの第一の切欠き部にそれぞれ、対応する前記第一の凹部の底の辺を差し込むと共に、前記第二の四角柱状体の左右の先端部をそれぞれ、対応する前記第二の凹部に嵌合することにより、前記各第一の四角柱状体の上側の開口端で形成される面と前記第二の四角柱状体の上面とが同一の平面上に位置するようにして前記二つの第一の四角柱状体の間に取着される梁状部と、中空状の第三の四角柱状体と、前記第三の四角柱状体の内部に密着して取り付けられた第二の中芯部とを有し、前記二つの側面板部の上側の辺で形成される面と前記各第一の四角柱状体の上側の開口端で形成される面及び前記第二の四角柱状体の上面との間の空間に嵌め込まれる天板部と、を具備することを特徴とするものである。
ここで、「繋がる」とは、一体的に形成されている場合だけでなく、接着剤や留め具等を用いて接合されている場合をも含む意である。
【０００６】
【発明の実施の形態】
以下に本発明の一実施形態について図面を参照して説明する。図１は本発明の一実施形態である段ボール机の概略斜視図、図２（ａ）はその段ボール机の概略正面図、図２（ｂ）はその段ボール机の概略背面図、図３（ａ）はその段ボール机の概略平面図、図３（ｂ）はその段ボール机の概略底面図、図４はその段ボール机の概略側面図、図５（ａ）はその段ボール机の脚部の概略斜視図、図５（ｂ）はその段ボール机の梁状部の概略斜視図、図５（ｃ）はその段ボール机の背面部及び天板部の概略斜視図である。また、図６はその段ボール机の脚部を展開した概略平面図、図７はその段ボール机の梁状部を展開した概略平面図、図８（ａ）はその段ボール机の梁状部に取り付けられる第一の中芯部の概略正面図、図８（ｂ）はその第一の中芯部の概略底面図、図９はその段ボール机の背面部及び天板部を展開した概略平面図、図１０（ａ）はその段ボール机の天板部に取り付けられる第二の中芯部の概略正面図、図１０（ｂ）はその第二の中芯部の概略底面図である。
【０００７】
図１、図２、図３及び図４に示す段ボール机は、段ボールを用いて形成したものであり、略四角形状の背面部１０と、二つの脚部２０，２０′と、梁状部３０と、天板部４０とを備える。右側の脚部２０は、図５（ａ）に示すように、背面部１０の右側の端部に接合するための接合部２１と、接合部２１の外側の辺に連なる側面板部２２と、中空状の第一の四角柱状体２３とを有する。ここで、「連なる」とは、一体的に形成されていることを意味する。また、左側の脚部２０′は、右側の脚部２０と左右対象に形成される点を除き、右側の脚部２０と同様に構成される。このため、以下では、二つの脚部２０，２０′のうち、右側の脚部２０だけについて詳細に説明することにする。
【０００８】
梁状部３０は、図５（ｂ）に示すように、中空状の第二の四角柱状体３１と、第二の四角柱状体３１の内部に密着して取り付けられる第一の中芯部３２とを有する。この梁状部３０は、二つの脚部２０，２０′を固定すると共に、天板部４０を支える役割を果たす。また、天板部４０は、図５（ｃ）に示すように、中空状の第三の四角柱状体４１と、第三の四角柱状体４１の内部に密着して取り付けられる第二の中芯部４２とを有する。
【０００９】
本実施形態では、各脚部２０，２０′を、図６に示すような一枚の段ボールを用いて形成し、梁状部３０を、図７に示す一枚の段ボールと図８に示す第一の中芯部３２とを用いて形成している。そして、背面部１０と天板部４０とを、図９に示す一枚の段ボールと図１０に示す第二の中芯部４２とを用いて形成している。図６、図７及び図９に示す各段ボールとしては、例えば、通常の茶の段ボールを使用する。これらの各段ボールは、専用の抜型を装着したプレス機等で打ち抜きすることによって、簡単に得られる。また、これらの各段ボールにはセラミックコーティングを施している。このセラミックコーティングを施した段ボールは、粉末状のセラミックを段ボールに吹き付けた後、オーブンで焼くことにより製造される。ここで、セラミックは二度吹きしている。かかるセラミックコーティングを施した段ボールは、耐水性、耐油性、耐熱性に優れており、また、抗菌性を有する。しかも、リサイクルが可能である。更に、図６、図７及び図９の各段ボールには帯電防止剤を塗布している。
【００１０】
これに対して、図８及び図１０に示す第一及び第二の中芯部３２，４２は、肉厚の段ボールを用いて作製している。具体的には、この肉厚の段ボールとして、東濃コア社製の「ハニーパネル」（製品名）を使用する。かかる「ハニーパネル」は、厚さが約３０ｍｍであり、また、軽くて強く、しかも自由な寸法に切断が可能であるという特徴がある。
【００１１】
右側の脚部２０は、図６に示す一枚の段ボールの状態では、略四角形状の基部１１１と、基部１１１の右側の辺に連なる第一短冊状部１１２と、第一短冊状部１１２の右側の辺のうち上端部を除いた辺に連なる第一側板部１１３と、第一側板部１１３の右側の辺に連なる第二短冊状部１１４と、第二短冊状部１１４の右側の辺に連なる第二側板部１１５と、基部１１１の左側の辺に連なる側端部１１６とを有する。側端部１１６が接合部２１となり、基部１１１が側面板部２２となる。そして、第一短冊状部１１２、第一側板部１１３、第二短冊状部１１４、第二側板部１１５が第一の四角柱状体２３に対応する。図６に示す一枚の段ボールの状態では、横幅が約１８００ｍｍ、縦幅が約７２０ｍｍである。
【００１２】
梁状部３０の第二の四角柱状体３１は、図７に示す一枚の段ボールの状態では、細長い略四角形状の中央板部１２１と、中央板部１２１の上側の辺に連なる上側短冊状部１２２と、中央板部１２１の下側の辺に連なる下側短冊状部１２３と、上側短冊状部１２２の上側の辺に連なる上側先端部１２４と、下側短冊状部１２３の下側の辺に連なる下側先端部１２５とを有する。図７に示す一枚の段ボールの状態では、横幅が約１１００ｍｍ、縦幅が約２５０ｍｍである。
【００１３】
背面部１０と天板部４０の第三の四角柱状体４１とは、図９に示す一枚の段ボールの状態では、略四角形状の下板部１３１と、下板部１３１の上側の辺に連なる中央板部１３２と、中央板部１３２の上側の辺に連なる短冊状部１３３と、短冊状部１３３の上側の辺に連なる上板部１３４と、上板部１３４の上側の辺に連なる先端部１３５とを有する。下板部１３１が背面部１０となり、中央板部１３２、短冊状部１３３、上板部１３４、先端部１３５が第三の四角柱状体４１に対応する。図９に示す一枚の段ボールの状態では、横幅が約１１００ｍｍ、縦幅が約２１００ｍｍである。
【００１４】
また、図６、図７及び図９において示した破線は、段ボールを押圧することにより形成した折り目である。すなわち、かかる破線は、段ボールを折り曲げる折曲げ部となり、これらの線により、上記の各部が区分される。図６に示す一枚の段ボールでは、折曲げ部として、基部１１１の側端部１１６に連なる側の端部に形成された第一折曲げ部１５１と、第一短冊状部１１２、第一側板部１１３、第二短冊状部１１４、第二側板部１１５をそれぞれ折り曲げるための第二折曲げ部１５２ａ，１５２ｂ，１５２ｃ，１５２ｄとが設けられている。図７に示す一枚の段ボールでは、上側短冊状部１２２、下側短冊状部１２３、上側先端部１２４、下側先端部１２５をそれぞれ折り曲げるための第三折曲げ部１５３ａ，１５３ｂ，１５３ｃ，１５３ｄが設けられており、図９に示す一枚の段ボールでは、下板部１３１の中央板部１３２に連なる側の端部に形成された第四折曲げ部１５４と、中央板部１３２、短冊状部１３３、上板部１３４、先端部１３５をそれぞれ折り曲げるための第五折曲げ部１５５ａ，１５５ｂ，１５５ｃ，１５５ｄとが設けられている。さらに、図６においては、側端部１１６を折り曲げるための第六折曲げ部１５６が形成されている。これらの各折曲げ部は、プレス機等で打ち抜き加工をする際に同時に形成することが可能である。尚、各折曲げ部はすべて谷折りで折り曲げられる。
【００１５】
次に、脚部２０について詳細に説明する。図６において、第一側板部１１３と第二側板部１１５は略同じ大きさであり、第一側板部１１３及び第二側板部１１５の横幅は基部１１１の横幅よりも短い。第二短冊状部１１４の縦幅は第一側板部１１３及び第二側板部１１５の縦幅と略同じである。第一短冊状部１１２については、その横幅は第二短冊状部１１４の横幅と略同じであり、その縦幅は基板１１１の縦幅と略同じである。また、第一側板部１１３、第二短冊状部１１４、第二側板部１１５の縦幅は、基部１１１の縦幅に比べて若干短い。具体的には、基部１１１の上側の辺と第一側板部１１３、第二短冊状部１１４及び第二側板部１１５の上側の辺との間隔を、天板部４０の厚さと略同じ程度にする。このため、第一短冊状部１１２の上側の突出部１１２ａにより、第一短冊状部１１２と第一側板部１１３との間には段差ができる。この突出部１１２ａの役割については後述する。
【００１６】
中空状の第一の四角柱状体２３は、第一側板部１１３、第二短冊状部１１４、第二側板部１１５を第二折曲げ部１５２ｂ，１５２ｃ，１５２ｄで折り曲げることにより形成される。このため、第一の四角柱状体２３の開口端は上下に現れる。そして、第一短冊状部１１２を第二折曲げ部１５２ａで折り曲げた後、第二側板部１１５の表面に接合用接着剤を塗布し、第二側板部１１５を基部１１１に貼り付けることにより、図５（ａ）に示すような脚部２０が得られる。このとき、第一の四角柱状体２３は、基部１１１（側面板部２２）の内面のうち上側の端部及び接合部２１（側端部１１６）に連なる側の端部を除いた面に貼り付けられることになる。
【００１７】
また、図６に示すように、第二側板部１１５の上端部に第一の凹部１６１を切り欠くようにして形成し、第一側板部１１３の上端部に第二の凹部１６２を切り欠くようにして形成している。第一及び第二の凹部１６１，１６２は、図５（ａ）に示すように、脚部２０を組み立てたときに互いに対応する位置に形成される。第一の凹部１６１は梁状部３０の長手方向に垂直な平面で切った断面と略同じ形状をしている。これに対し、第二の凹部１６２は第一の凹部１６１と同じ横幅を有するが、その深さは第一の凹部１６１の深さよりも浅い。また、第一側板部１１３と第二短冊状部１１４との上端縁であってそれらの境界部分には、凸部１６３が形成されている。この凸部１６３は、図５（ａ）に示すように、脚部２０を組み立てると、略Ｌ字状になる。
【００１８】
次に、梁状部３０について詳細に説明する。図７において、上側短冊状部１２２と下側短冊状部１２３、上側先端部１２４と下側先端部１２５はそれぞれ略同じ大きさである。上側先端部１２４と下側先端部１２５の縦幅は、中央基部１２１の縦幅の略半分である。中央板部１２１の左右の端部には、上側短冊状部１２２及び下側短冊状部１２３に渡って上下方向に第一の切欠き部１７１，１７１が形成されている。また、下側短冊状部１２３の略中央部には、中央板部１２１に渡って上下方向に第二の切欠き部１７２が形成されている。第二の四角柱状体３１は、上側短冊状部１２２、下側短冊状部１２３、上側先端部１２４、下側先端部１２５を第三折曲げ部１５３ａ，１５３ｂ，１５３ｃ，１５３ｄで折り曲げることにより形成される。
【００１９】
第一の中芯部３２は、図８に示すように、第二の四角柱状体３１と略同じ形状をしている。第一の中芯部３２の底面の左右の端部には、第一の溝部３２ａ，３２ａが形成されている。また、第一の中芯部３２の前側面の中央部には、第二の溝部３２ｂが形成されている。第一の溝部３２ａ，３２ａは、図７に示す一枚の段ボールから第二の四角形状体３１を形成したときの、第一の切欠き部１７１，１７１に対応する位置に形成され、第二の溝部３２ｂは、図７に示す一枚の段ボールから第二の四角形状体３１を形成したときの、第二の切欠き部１７２に対応する位置に形成される。
【００２０】
梁状部３０を組み立てる場合には、まず、図７に示す一枚の段ボールの全表面に接合用接着剤を塗布した後、第一の中芯部３２の底面を中央板部１２１上に載せる。このとき、第一の中芯部３２の第二の溝部３２ｂが下側短冊状部１２３の側に位置するようにする。こうして、第一の中芯部３２の底面と中央板部１２１とを貼り付ける。次に、上側短冊状部１２２と下側短冊状部１２３を折り曲げて、それぞれ第一の中芯部３２の前後の側面に貼り付ける。その後、上側先端部１２４と下側先端部１２５を折り曲げて、第一の中芯部３２の上面に貼り付けることにより、図５（ｂ）に示すような梁状部３０が得られる。尚、第二の四角柱状体３１の下側先端部１２５には、第二の切欠き部１７２が形成されていないので、梁状部３０の上面には、第一の中芯部３２の第二の溝部３２ｂは現れない。
【００２１】
図５（ｂ）に示す梁状部３０において、第一の切欠き部１７１，１７１にはそれぞれ、対応する第一の四角形状体２３の第二の凹部１６２の底の辺が差し込まれることになる。ここで、第一の切欠き部１７１に第二の凹部１６２を差し込んだときに、梁状部３０の上面が第一の四角柱状体２３の上側の開口端で形成される面と同一の平面上に位置するように、第一の切欠き部１７１，１７１の長さや第一の溝部３２ａ，３２ａの深さを設計している。また、後に詳述するが、第二の切欠き部１７２には、二つの脚部２０，２０′を折り畳んだときに各第一の四角柱状体２３の突出部１１２ａが差し込まれることになる。
【００２２】
次に、背面部１０及び天板部４０について詳細に説明する。図９において、背面部１０となる下板部１３１の縦幅は、脚部２０の基部１１１の縦幅と略同じである。下板部１３１の横幅は、梁状部３０の横幅と略同じであって、脚部２０の第一折曲げ部１５１と第二折曲げ部１５２ａとの間隔の略二倍の長さである。また、中央板部１３２と上板部１３４、短冊状部１３３と先端部１３５はそれぞれ略同じ大きさである。中央板部１３２及び上板部１３４の縦幅は、脚部２０の基部１１１の横幅と略同じであるが、下板部１３１の縦幅よりは短い。また、上板部１３４の左右の上側端部には、略直角に屈曲した第三の切欠き部１７３，１７３が形成されている。第三の四角柱状体４１は、短冊状部１３３、上板部１３４、先端部１３５を第五折曲げ部１５５ｂ，１５５ｃ，１５５ｄで折り曲げることにより形成される。
【００２３】
第二の中芯部４２は、図１０に示すように、第三の四角形状体４２と略同じ形状をしている。第二の中芯部４２の底面の左右の上側端部には、略直角に屈曲した第三の溝部４２ａ，４２ａが形成されている。第三の溝部４２ａ，４２ａは、図９に示す一枚の段ボールを用いて第二の四角形状体３１を形成したときの、第三の切欠き部１７３，１７３に対応する位置に形成される。
【００２４】
天板部４０を組み立てる場合には、図９に示す一枚の段ボールにおいて中央板部１３２、短冊状部１３３、上板部１３４、先端部１３５の各表面に接合用接着剤を塗布した後、第二の中芯部４２の上面を中央板部１３２上に載せる。このとき、第二の中芯部４２の第三の溝部４２ａが下板部１３１の側に位置するようにする。こうして、第二の中芯部４２の上面と中央板部１３２とを貼り付ける。次に、短冊状部１３３、上板部１３４、先端部１３５を折り曲げて、それぞれ第二の中芯部４２の前側面、底面、後側面に貼り付けることにより、天板部４０が得られる。図５（ｃ）はこうして組み立てられた天板部４０と背面部１０とを示している。尚、図５（ｃ）に示す天板部４０において、第三の切欠き部１７３，１７３にはそれぞれ、対応する第一の四角形状体２３の凸部１６３が差し込まれることになる。
【００２５】
ところで、各脚部２０，２０′に形成した第一折曲げ部１５１と背面部１０に形成した第四折曲げ部１５４とは、他の折曲げ部とは異なり、机を折り畳む際に使用するものである。図９に示す第四折曲げ部１５４は、第四折曲げ部１５４と第五折曲げ部１５５ａとで囲まれる四角形状部１３１ａが短冊状部１３３及び先端部１３５と略同じ大きさとなる位置に形成されている。これにより、図５（ｃ）に示す背面部１０と天板部４０について、天板部４０を第五折曲げ部１５５ａで折り曲げると共に、四角形状部１３１ａを第四折曲げ部１５４で折り曲げると、下板部１３１と上板部１３４との各面が当接することになる。また、図６に示す第一折曲げ部１５１は、第一折曲げ部１５１と第六折曲げ部１５６との間隔が天板部４０の厚さと第一短冊状部１１２及び第二短冊状部１１４の横幅とを加えた値となるような位置に形成されている。
【００２６】
次に、本実施形態の段ボール机の製造及び組立の手順について説明する。
【００２７】
まず、専用の抜型を装着したプレス機等で、大きな板状体の一枚の段ボールから図６、図７及び図９に示す各形状を打ち抜く。このとき、外形の打ち抜きだけでなく、第一乃至第三の切欠き部、第一乃至第六の折曲げ部も同時に形成される。また、肉厚の段ボールを用いて、図８に示す第一の中芯部３２と図１０に示す第二の中芯部４２とを形成する。
【００２８】
次に、図６に示す一枚の段ボールについて、第二折曲げ部１５２ａ，１５２ｂ，１５２ｃ，１５２ｄで折り曲げることにより、第一の四角柱状体２３を形成すると共に、第二側板部１１５を基部１１１に貼り付ける。こうして、図５（ａ）に示す右側の脚部２０を形成する。また、同様にして、図５（ａ）に示す右側の脚部２０とは、第一の四角柱状体２３を基部１１１の反対側に貼り付けた、左側の脚部２０′を形成する。次に、図７に示す一枚の段ボールについて、その全表面に接合用接着剤を塗布した後、第一の中芯部３２の底面を中央板部１２１に貼り付ける。そして、第三折曲げ部１５３ａ，１５３ｂ，１５３ｃ，１５３ｄで折り曲げて、上側短冊状部１２２、下側短冊状部１２３、上側先端部１２４、下側先端部１２５をそれぞれ第一の中芯部３２の所定の面に貼り付ける。こうして、図５（ｂ）に示す梁状部３０を形成する。次に、図９に示す一枚の段ボールについて、中央板部１３２、短冊状部１３３、上板部１３４、先端部１３５の各表面に接合用接着剤を塗布した後、第二の中芯部４２の上面を中央板部１３２に貼り付ける。そして、第五折曲げ部１５５ｂ，１５５ｃ，１５５ｄで折り曲げて、短冊状部１３３、上板部１３４、先端部１３５をそれぞれ第二の中芯部４２の所定の面に貼り付ける。こうして図５（ｃ）に示す背面部１０と天板部４０とを形成する。
【００２９】
次に、二つの脚部２０，２０′の各接合部２１に接合用接着剤を塗布し、各接合部２１を背面部１０の左右の端部の裏面に貼り付ける。これにより、二つの脚部２０，２０′の各側面板部２２はそれぞれ、背面部１０の両側の辺に繋がることになる。そして、各側面板部２２を第六折曲げ部１５６で折り曲げ、二つの第一の四角柱状体２３を互いに対向させる。次に、梁状部３０の二つの第一の切欠き部１７１，１７１にそれぞれ、第一の四角形状体２３の第二の凹部１６２の底の辺を差し込むと共に、その梁状部３０の左右の先端部をそれぞれ、第一の四角柱状体２３の第一の凹部１６１に嵌合する。こうして、二つの脚部２０，２０′は梁状部３０によって動かないように固定される。このとき、各第一の四角柱状体２０の上側の開口端で形成される面と梁状部３０の上面とは同一の平面上に位置し、これら各面は天板部４０を載置する面となる。その後、天板部４０を第五折曲げ部１５５ａで折り曲げて、かかる載置面と二つの脚部２０，２０′の各側面板部２２の上側の辺で形成される面との間の空間に、天板部４０を嵌め込むことにより、図１に示すような段ボール机を得ることができる。このとき、各第一の四角柱状体２３の凸部１６３をそれぞれ、天板部４０の底面に形成された各第三の切欠き部１７３に差し込むことにより、天板部４０を動かないように固定している。
【００３０】
このようにして、組み立てられた段ボール机は、十分な強度を有する。例えば、ディスクトップコンピュータを天板部４０に載せても、また、人が天板部４０に載ったりしても、本実施形態の段ボール机は壊れることはない。
【００３１】
次に、本実施形態の段ボール机を折り畳む際の手順について説明する。図１１はその段ボール机を折り畳む手順を説明するための図である。
【００３２】
図１１（ａ）は上述のようにして組み立てられた段ボール机を示している。まず、この状態の段ボール机について、図１１（ｂ）に示すように、天板部４０を第五折曲げ部１５５ａの回りに持ち上げることにより、天板部４０を二つの脚部２０，２０′の間の上方の空間から外す。その後、図１１（ｃ）に示すように、梁状部３０を取り外す。次に、二つの脚部２０，２０′の間隔を少し広げた後、背面部１０の四角形状部１３１ａを第四折曲げ部１５４で折り曲げると共に、天板部４０を第五折曲げ部１５５ａで折り曲げることにより、図１１（ｄ）に示すように、天板部４０を手前側に折り畳む。このとき、天板部４０の上板部１３４と背面部１０とが当接し、また、背面部１０の四角形状部１３１ａは、各第一の四角柱状体２３の上側の開口端で形成される面と同一の平面上に位置する。
【００３３】
次に、左側の脚部２０′の側面板部２２を第一折曲げ部１５１で二つに折り曲げることにより、図１１（ｅ）に示すように、第一の四角柱状体２３を背面部１０の側に折り畳む。また、同様に、右側の脚部２０についても、図１１（ｆ）に示すように、第一の四角柱状体２３を折り畳む。このとき、二つの第一の四角柱状体２３の第一側板部１１３と天板部４０の中央板部１３２とが当接し、また、二つの第一の四角柱状体２３の第一短冊状部１１２，１１２同士が当接する。図１１（ｆ）に示す折り畳んだ状態では、二つの側面板部２２の上側の辺で形成される面と、背面部１０の四角形状部１３１ａの表面及び二つの第一の四角柱状体２３の上側の開口端で形成される面との間に、細長い空間ができる。この空間が梁状部３０を収納するための収納部となる。また、この空間の略中央部には、二つの第一の四角柱状体２３の第一短冊状部１１２の突出部１１２ａが位置することになる。このため、梁状部３０の第二の切欠き部１７２に二つの第一の四角柱状体２３の突出部１１２ａを差し込むようにして、梁状部３０を収納部に収納する。図１１（ｇ）は梁状部３０を収納した状態の段ボール机を示している。突出部１１２ａを第二の切欠き部１７２に差し込むことにより、二つの第一の四角柱状体２３が開いてしまわないように固定することができる。以上で、段ボール机を折り畳む作業が終了する。
【００３４】
本実施形態の段ボール机では、段ボールを用いて製造したことにより、製造コストの低下を図ることができる。また、かかる段ボール机は、木製やプラスチック製のものに比べて軽量であり、しかも、誰でも簡単に折り畳んだり、組み立てることができる。このため、段ボール机を使用しない場合には、折り畳んでおけば、大きな収納スペースを必要とせず、保管場所に困ることはない。また、段ボール机を搬送する場合には、折り畳んだ状態で搬送することにすれば、一度に多数の段ボール机を運ぶことができるので、運送コストが安くなるという利点もある。したがって、本実施形態の段ボール机は、特に、短期間の間だけ開設される工事現場、イベント会場又は事務所等において使用するのに適している。
【００３５】
また、本実施形態では、セラミックコーティングを施した段ボールを用いて段ボール机を製造したことにより、段ボール机は耐水性・耐油性・耐熱性に優れ、しかも抗菌性がある。このため、例えば、段ボール机が汚れた場合には、雑巾で水拭きすることができる。また、段ボール机の上に灰皿を置いた場合に、たとえタバコが机の表面に落ちてしまったときでも、段ボール机は燃えにくい。更に、かかるセラミックコーティングを施した段ボールは、リサイクル可能品であるため、段ボール机が古くなったり、要らなくなった場合の処分が簡単である。
【００３６】
更に、帯電防止剤を塗布した段ボールを用いて段ボール机を製造したことにより、静電気の発生を抑えることができるので、例えば、机上にフロッピーディスク等を直に置いたときでもフロッピーディスクに記憶されたデータが破壊されることはない。
尚、本発明は上記の実施形態に限定されるものではなく、その要旨の範囲内において種々の変形が可能である。
【００３７】
例えば、上記の実施形態では、脚部と、背面部及び天板部とをそれぞれ、別個の一枚の段ボールを用いて形成する場合について説明したが、二つの脚部の側面板部を背面部の両側の辺に連なるようにした、一枚の段ボールを用いて、背面部、天板部及び二つの脚部を形成するようにしてもよい。
【００３８】
また、上記の実施形態では、背面部と天板部とを図９に示す一枚の段ボールを用いて形成する場合について説明したが、背面部と天板部とは別個に形成してもよい。
【００３９】
更に、上記の実施形態では、セラミックコーティングを施した段ボールを用いた場合について説明したが、プラスチック段ボールを使用したり、又は、通常の段ボールを使用して、段ボール机を製造してもよい。また、上記の実施形態では、帯電防止剤を塗布した段ボールを用いた場合について説明したが、帯電防止剤を塗布しない段ボールを使用して、段ボール机を製造してもよい。
【００４０】
【発明の効果】
以上説明したように本発明の段ボール机によれば、段ボールを用いて製造したことにより、製造コストの低下を図ることができる。また、かかる段ボール机は、軽量であり、しかも、誰でも簡単に折り畳んだり、組み立てることができる。このため、段ボール机を使用しない場合には、折り畳んでおけば、大きな収納スペースを必要とせず、保管場所に困ることはない。したがって、かかる段ボール机は、特に、短期間の間だけ開設される工事現場、イベント会場又は事務所等において使用するのに適している。
【図面の簡単な説明】
【図１】本発明の一実施形態である段ボール机の概略斜視図である。
【図２】（ａ）はその段ボール机の概略正面図、（ｂ）はその段ボール机の概略背面図である。
【図３】（ａ）はその段ボール机の概略平面図、（ｂ）はその段ボール机の概略底面図である。
【図４】その段ボール机の概略側面図である。
【図５】（ａ）はその段ボール机の脚部の概略斜視図、（ｂ）はその段ボール机の梁状部の概略斜視図、（ｃ）はその段ボール机の背面部及び天板部の概略斜視図である。
【図６】その段ボール机の脚部を展開した概略平面図である。
【図７】その段ボール机の梁状部を展開した概略平面図である。
【図８】（ａ）はその段ボール机の梁状部に取り付けられる第一の中芯部の概略正面図、（ｂ）はその第一の中芯部の概略底面図である。
【図９】その段ボール机の背面部及び天板部を展開した概略平面図である。
【図１０】（ａ）はその段ボール机の天板部に取り付けられる第二の中芯部の概略正面図、（ｂ）はその第二の中芯部の概略底面図である。
【図１１】その段ボール机を折り畳む手順を説明するための図である。
【符号の説明】
１０    背面部
２０，２０′    脚部
２１    接合部
２２    側面板部
２３    第一の四角柱状体
３０    梁状部
３１    第二の四角柱状体
３２    第一の中芯部
３２ａ    第一の溝部
３２ｂ    第二の溝部
４０    天板部
４１    第三の四角柱状体
４２    第二の中芯部
４２ａ    第三の溝部
１１１    基部
１１２    第一短冊状部
１１２ａ    突出部
１１３    第一側板部
１１４    第二短冊状部
１１５    第二側板部
１１６    側端部
１２１    中央板部
１２２    上側短冊状部
１２３    下側短冊状部
１２４    上側先端部
１２５    下側先端部
１３１    下板部
１３１ａ    四角形状部
１３２    中央板部
１３３    短冊状部
１３４    上板部
１３５    先端部
１５１    第一折曲げ部
１５２ａ，１５２ｂ，１５２ｃ，１５２ｄ    第二折曲げ部
１５３ａ，１５３ｂ，１５３ｃ，１５３ｄ    第三折曲げ部
１５４    第四折曲げ部
１５５ａ，１５５ｂ，１５５ｃ，１５５ｄ    第五折曲げ部
１５６    第六折曲げ部
１６１    第一の凹部
１６２    第二の凹部
１６３    凸部
１７１    第一の切欠き部
１７２    第二の切欠き部
１７３    第三の切欠き部
【図１】
0004477735.tif 000002
【図２】
0004477735.tif 000003
【図３】
0004477735.tif 000004
【図４】
0004477735.tif 000005
【図５】
0004477735.tif 000006
【図６】
0004477735.tif 000007
【図７】
0004477735.tif 000008
【図８】
0004477735.tif 000009
【図９】
0004477735.tif 000010
【図１０】
0004477735.tif 000011
【図１１】
0004477735.tif 000012